(57)【特許請求の範囲】
【請求項１】
銅箔からなる２つの回路パターンと、
上記２つの回路パターンの一面の全体を覆うように印刷によって設けられる第１のカバーフィルムと、
上記２つの回路パターンの他面の全体を覆うように印刷によって設けられる第２のカバーフィルムと、を備え、
上記第１のカバーフィルムに、上記２つの回路パターンからそれぞれ分極されて隣接するランド部が露出される２つの窓孔を形成し、
上記隣接するランド部の間に、当該ランド部からランド延長部を延出し、クランク形状あるいはジグザグ形状の隙間を隔てて接近させた補強部を設けるようにした
フレキシブル配線基板。
【請求項２】
請求項１記載のフレキシブル配線基板において、
上記補強部が、隣接し合う上記ランド部間に配置され、当該ランド部とクランク形状あるいはジグザグ形状にして接近させるようにしたグランドパターンである
フレキシブル配線基板。
【発明の詳細な説明】
【０００１】
【発明の属する技術分野】
本発明は、銅箔からなる回路パターンの表裏面がカバーフィルムの印刷によって覆われている超薄型のフレキシブル配線基板に関し、詳しくは、回路パターンの隣接するランド部間を回路パターンの一部を用いて補強することによって、ランド部間のカバーフィルムの破断を防止するようにしたものである。
【０００２】
【従来の技術】
近年、フレキシブル配線基板の超薄型化を目的として、銅箔からなる回路パターンの表裏面を数μのカバーフィルムで印刷し覆うようにしたフィルム状の配線基板が提案されている。
【０００３】
図８及び図９にこの種、フレキシブル配線基板の一例を示し、図８はフレキシブル配線基板の一部分の平面図、図９はフレキシブル配線基板の分離状態の斜視図である。
【０００４】
符号３０，３１が銅箔からできている２つの分離されている回路パターンであり、両回路パターン３０，３１にはそれぞれ隣接するようにしてランドパターン部３０ａ，３１ａが形成されている。この回路パターン３０，３１はその表裏両面から厚みが数μｍのポリイミド等からなるカバーフィルム３２，３３が印刷によって被膜され、いわゆる回路パターン３０，３１がカバーフィルム３２，３３によって挟み付けられるように重合されている。この際、一方のカバーフィルム３３にはランドパターン部３０ａ，３１ａに対応する位置に窓孔３３ａ，３４ａが形成され、これら窓孔３３ａ，３４ａからランドパターン部３０ａ，３１ａが露出する部分（図８の斜線部分）が半田付け等で電気的に接続されるランド部３５，３６となる。
【０００５】
【発明が解決しようとする課題】
上述したフレキシブル配線基板は、ランド部３５，３６を他の基板の導電部に重ね合わせ、ランド部３５，３６と導電部とを半田付けやホットメルト等により直接接続する方法がある。しかし、このようなフレキシブル配線基板は回路パターン３０，３１以外のカバーフィルム３２，３３の部分は、厚みが薄く強度的に弱いものであるため、例えば一度半田付けされたランド部３５，３６が修理等によって剥がされるときに、熱による影響も加わって特にランド部３５，３６の間のカバーフィルム３２，３３の部分ａが裂け易く損傷するといった問題があった。
【０００６】
本発明は、上述したような課題を解消するためになされたもので、特にランド部間におけるカバーフィルム部分の強度を向上し、フィルムの裂け等の損傷を防止するようにしたフレキシブル配線基板を得ることを目的とする。
【０００７】
【課題を解決するための手段】
上述の目的を達成するため本発明によるフレキシブル配線基板は、銅箔からなる２つの回路パターンと、２つの回路パターンの一面の全体を覆うように印刷によって設けられる第１のカバーフィルムと、２つの回路パターンの他面の全体を覆うように印刷によって設けられる第２のカバーフィルムと、を備え、第１のカバーフィルムに、２つの回路パターンからそれぞれ分極されて隣接するランド部が露出される２つの窓孔を形成し、隣接するランド部の間に、当該ランド部からランド延長部を延出し、クランク形状あるいはジグザグ形状の隙間を隔てて接近させた補強部を設けるようにした。
【０００８】
上述したフレキシブル配線基板によれば、ランド部間の強度の弱いカバーフィルムだけの部分が補強部により補強されるようにしたので、一度半田付けされたランド部が修理等により剥がされる場合であっても、補強部によってカバーフィルムが裂けるようなこともない。さらに詳細には、補強部は隣接するランド部から延出され、例えばクランク状の曲線形状にされていることで、たとえ、カバーフィルムの端部に僅かな亀裂が生じたとしても、補強部により亀裂を裂け止めることができる。
【０００９】
【発明の実施の形態】
以下、本発明によるフレキシブル配線基板の実施の形態を図面を参照して説明する。
【００１０】
図１はフレキシブル配線基板のランド部分の平面図、図２はフレキシブル配線基板のランド部分の分離状態の斜視図である。
【００１１】
符号１，２が厚みが８μｍ前後の銅箔からできている２つに分極されている回路パターンであり、両回路パターン１，２にはそれぞれ隣接するようにしてランドパターン部３，４が形成されている。両ランドパターン部３，４からは相互に凹凸形状に延出するようにしてランド延出部３ａ，４ａが接近され、この接近された隙間５の形状がクランク状にされている。このランド延出部３ａ，４ａが補強部の機能をする。
【００１２】
上述した回路パターン１，２と共にランドパターン部３，４はその両面から例えば５μｍ前後のポリイミド等からなるカバーフィルム６，７が印刷によって被膜され、いわゆる回路パターン１，２と共にランドパターン部３，４がカバーフィルム６，７によって挟み付けられるように重合されている。ここで、一方の第１のカバーフィルム７にはランドパターン部３，４に対応する位置に窓孔７ａ，８ａが形成され、これら窓孔７ａ，８ａからランドパターン部３，４が露出する部分（図１の斜線部分）が半田付けされて別の端子部と電気的に接続されるランド部９，１０となる。従って、第２のカバーフィルム６側では回路パターン１，２及びランドパターン部３，４は全て覆われ、第１のカバーフィルム７側にあってはランド部９，１０が露出する以外は全て覆われるようになる。
【００１３】
以上のように構成したフレキシブル配線基板は、そのランド部９，１０を図３に示すように例えば機器側の基板１１のパターン配線されている導電部１２，１３の端子部１４，１５に図４に示すように位置合わせされ、ランド部９，１０と端子部１４，１５とを半田１６，１７により接続される。図４は本発明のフレキシブル配線基板と基板１１とが半田接続された様子の斜視図を示す。
【００１４】
ここで、上述したフレキシブル配線基板は、回路パターン１，２とカバーフィルム６，７を含めたトータルの厚みが１８μｍ前後と極めて薄いものであり、一度基板１１の端子部１４，１５に半田付けされたランド部９，１０が修理等によって剥がされた場合、従来では隣接するランド部間の強度的に弱いカバーフィルムが裂けて損傷することがあったが、本発明では隣接するランド部９，１０間のカバーフィルム部分がランド延出部３ａ，４ａによって補強されていることで強度が保証され裂けるようなことがない。
【００１５】
たとえ、図４に示すようにランド延出部３ａ，４ａの隙間５の部分からカバーフィルム５ａに亀裂が生じたような場合であっても、この亀裂はランド延出部４ａに達した時点で裂け止まりこれ以上カバーフィルムが裂けることもなく、フレキシブル配線基板の損傷を防止することができる。
【００１６】
図６にフレキシブル配線基板の別の実施の形態を示し、図１に示した実施の形態と同一構成部分には同じ符号を付して説明する。
【００１７】
この場合のフレキシブル配線基板は、２極の回路パターン１，２が微弱信号を扱う場合にランド部９，１０間の隙間を狭くすることが好ましくないときの改善例である。
【００１８】
これによれば、回路パターン１，２とランド部９，１０との間に、回路パターン１，２と同一の厚みのグランドパターン１８を介在して離間し、ランド部９，１０とグランドパターン１８とをクランク状の隙間１９ａ，１９ｂを隔てて接近させるようにしたものである。
【００１９】
このように構成したことによって、回路パターン１，２が微弱信号の影響を受けることもなく、しかも、ランド部９，１０間の強度をグランドパターン１８により補強することができるようになる。
【００２０】
また、上述した実施の形態では２極のランド部９，１０間の補強について説明したが、図７に示すように多数のランド部２０が設けられているような場合にも、各ランド部２０，２０間を図１で示したようにランド延出部３ａ，４ａをクランク状の隙間５を隔てて接近するようにしてカバーフィルムの部分を補強することも可能である。
【００２１】
本発明は、上述しかつ図面に示した実施の形態に限定されるものでなく、その要旨を逸脱しない範囲内で種々の変形実施が可能である。
【００２２】
図１及び図７の実施の形態では、ランド部間のランド延出部３ａ，４ａをクランク状の隙間５を隔てて接近させるようにしたが、その他、図示しないがジグザグ状等、曲線形状の隙間を隔てて接近させるようにしてもよい。
【００２３】
また、図６の実施の形態のようにランド部９，１０とグランドパターン１８とをクランク状の隙間１９ａ，１９ｂを介して接近させる以外、ジグザグ状等の曲線形状の隙間を隔てて接近させるようにしてもよい。
【００２４】
【発明の効果】
以上説明したように本発明によるフレキシブル配線基板は、隣接し合うランド部間のカバーフィルムだけが存在する部分を、当該ランド部の一部を相互に延出しクランク形状あるいはジグザグ形状にして接近させた補強部を設けたことによって、一度半田付けされたランド部が修理等により剥がされる場合であっても、補強部によってカバーフィルムが裂けるようなこともなく、しかも、カバーフィルムの端部に僅かな亀裂が生じたとしても、補強部により亀裂を裂け止めることができ、信頼性の高い超薄型なフレキシブル配線基板となる。
【図面の簡単な説明】
【図１】本例によるフレキシブル配線基板の平面図である。
【図２】同じくフレキシブル配線基板の分離状態の斜視図である。
【図３】フレキシブル配線基板と機器側の基板とのランド部の半田接続前の平面図である。
【図４】フレキシブル配線基板と機器側の基板とのランド部の半田接続状態の平面図である。
【図５】同じくフレキシブル配線基板と機器側の基板とのランド部の半田接続状態の斜視図である。
【図６】フレキシブル配線基板の別の例の平面図である。
【図７】フレキシブル配線基板のさらに別の例の平面図である。
【図８】従来のフレキシブル配線基板の平面図である。
【図９】同じくフレキシブル配線基板の分離状態の斜視図である。
【符号の説明】
１，２…回路パターン、３，４…ランドパターン部、３ａ，４ａ…ランド延出部（補強部）、５…クランク状の隙間、６，７…カバーフィルム、７ａ，８ａ…カバーフィルムの窓部、９，１０…ランド部、１６，１７…半田、１８…グランドパターン、１９ａ，１９ｂ…クランク状の隙間、２０…ランド部
【図１】
0004724965.tif 000002
【図２】
0004724965.tif 000003
【図３】
0004724965.tif 000004
【図４】
0004724965.tif 000005
【図５】
0004724965.tif 000006
【図６】
0004724965.tif 000007
【図７】
0004724965.tif 000008
【図８】
0004724965.tif 000009
【図９】
0004724965.tif 000010